(57)【要約】【課題】従来の一眼レフレックスカメラに比べ格段に短いフランジバックを有するデジタル一眼レフレックスカメラを提供すると共に、画像表示パネルに表示される画像を、外乱光から遮断してクリアーに、且つ又必要な場合には、拡大して観察できる画像表示システムを提供する。【解決手段】カメラ函体上部に画像表示パネル、前記画像表示パネルの上側に、立ち上げ・折り畳み収納可能なパネルカバー、前記パネルカバーを立ち上げたとき、前記画像表示パネルからの光を撮影・観察者側に反射する、前記パネルカバーの内側に配置されたミラー、前記パネルカバーが収納されたとき、画像表示パネルの画像表示をオフ状態にするスイッチ、必要な場合には画像表示パネル上に表示された画像を拡大観察できるルーペを備えた。【選択図】    図１
2006330415.tif 000002
【特許請求の範囲】
【請求項１】
画像記録手段、
前記画像記録手段の画像面に被写体像を形成する撮影レンズ、
前記画像記録手段の画像面が仮想的に２分割されて形成される２面の仮想画面区画と対応関係を成す２枚のフォーカススクリーンと、前記撮影レンズと前記画像面の間に、ファインダー観察時、互いに異なる向きに広がり、前記撮影レンズから入射する光を反射し、前記２面の仮想画面区画に生成する画像に対応する画像を前記２枚のフォーカススクリーン上に形成し、前記画像面への露光時、撮影レンズから画像面に向かう光路から退避する２枚のミラーと、前記２枚のミラーで分割された光を統合する略正三角形断面を為す統合プリズムと、前記統合プリズムで統合された光を受けて撮影・観察者の瞳に送りファインダー像を形成する接眼レンズから成るファインダー光学系、
前記要素部材を被うカメラ函体の上側に配置された画像表示パネル
前記画像表示パネルの上側に開閉自在に取付けられたパネルカバー
前記パネルカバーを開いたとき、画像表示パネルを画像表示状態に設定し、閉じたとき画像非表示状態に設定する、表示・非表示切替え手段
前記パネルカバーを開いたとき、前記画像表示パネルに表示された画像からの光を撮影・観察者側に反射させるように前記パネルカバーに配置された反射手段
を備えたことを特徴とするデジタル一眼レフレックスカメラ。
【請求項２】
前記パネルカバーに、前記画像表示パネルに表示され、前記反射手段で反射された画像を拡大観察するための拡大観察手段を備えたことを特徴とする請求項１記載のデジタル一眼レフレックスカメラ。
【発明の詳細な説明】
【技術分野】
【０００１】
本発明は電子的画像記録手段を備えたいわゆるデジタル一眼レフレックスカメラの光学系及び画像表示パネル関し、詳しくは撮影レンズ取り付け部から画像記録手段の画像面までの距離（フランジバック）を短縮すると共に、撮影結果等を確認する為の画像表示パネルを観察し易くする手段を、本ファインダー光学系の外形形状の特性を生かしコンパクトに折り畳み収納できる機構に関するものである。
【背景技術】
【０００２】
一眼レフレックス形式のカメラは、撮影レンズを交換しても、そのレンズで形成される生の被写体像を確認でき、自在に撮影レンズを交換でき、如何なる撮影状況にも対応できる万能機として、アマチュア層からプロの層まで広く定着している。
【０００３】
上記機能を達成するために、撮影レンズと画像面の間に反射鏡などの反射手段を配置してファインダー光学系に被写体像を導く一眼レフレックスカメラが知られている。
【０００４】
従来の一眼レフレックスカメラは、撮影光学系の光路を殆ど全てカバーするミラーが配置され、撮影時には前記ミラーの前端は円弧を描いて跳ね上がるため、フランジバックを著しく長くせざるを得なかった。その為、特に広角系のレンズは、大型のレトロフォーカスタイプを採用せざるを得なかった。また広角系ズームレンズなどを設計する場合にも多大な制約を受ける為に、レンズを大型化・複雑化させることになる。
【０００５】
また、図４に示すように、従来の一眼レフレックスカメラは、撮影レンズで形成される被写体像を、ファインダー内で正像（被写体の上下、左右方向が被写体と一致する像）として観察する手段として、大きなペンタゴナルダハプリズムがカメラ上部に配置され、巨大な瘤状凸部３３がカメラ函体の上部を占拠していた。
【０００６】
かねてより一眼レフレックスカメラのフランジバックを短くし、且つペンタゴナルダハプリズムを排除した幾つかの発明が為されている。
【０００７】
【特許文献１】ＵＳＰ５，４８１，３２４
【特許文献２】日本国特許第３４０２６５５号
【特許文献３】特願２００３−１４１３０８（特開２００４−３４７６３８）
【特許文献４】特願２００５−００２０４１
【発明の開示】
【発明が解決しようとする課題】
【０００８】
前述のように、従来のデジタル一眼レフレックスカメラに於いては、撮影レンズによって形成される被写体像をファインダー内で正像として観察できるようにする為に、図４に示す大きなペンタゴナルダハプリズムを内包する瘤状凸部３３がカメラ函体の中央上部を占拠している為、液晶等の画像表示パネル２１を配置する場所として、カメラ函体背面を選択せざるを得なかった。
【０００９】
一眼レフレックス形式に限らず、薄型コンパクト形式等殆どのデジタルカメラの画像表示パネルは、日中戸外では周囲の外乱光に邪魔されて、表示画像が著しく見難い。特に一眼レフレックス形式のデジタルカメラは、プロのカメラマンが使用するに関わらず、初心者向けのデジタルカメラと同じレベルの申し訳程度の画像しか観察できないのは大きな欠点であった。
【００１０】
画像表示パネル上の画像を見易くするため、遮光フードで周囲の外乱光を遮断するのが唯一最良の方法であるが、従来のデジタル一眼レフレックスカメラに於いては、画像表示パネルは前述の如くカメラ函体背面に設けざるを得ないため、遮光フードを取付けることは下記の理由により困難であった。
【００１１】
撮影時、ファインダー接眼レンズに眼を近付けると、必然的に撮影者の頬はカメラ背面に密着させざるを得ず、カメラ背面に凸部を設けることはできない。例え遮光フードを折り畳み式にするにしても、折り畳まれた遮光フードの厚み分だけ、撮影者の眼はファインダー接眼レンズから遠ざかることになり、ファインダー視野全体を観察し難くなる。また撮影の度毎に遮光フードの折り畳み操作と開放操作を繰り替えさなければならない。
【００１２】
またカメラ背面は前述の如く撮影者の頬が密着する部位でもあり、撮影操作中に指や頬が頻繁に触れる部分でもあるから、画像表示パネルの表面は常に皮脂類で汚れることになる。
【００１３】
更に高精細な画像表示パネルを採用しても、大きさが限られているから、表示された画像の細部は確認できない。前記の遮光フードを設けることが出来ない同じ理由により、拡大観察する為のルーペを組み込むスペースはなく拡大観察する手段も絶たれることになる。
【課題を解決するための手段】
【００１４】
本発明は上記事情に鑑み、デジタル一眼レフレックスカメラの画像表示パネルを外乱光に邪魔されることなく、クリアーな画像をミラーを介して直接観察するばかりでなく、拡大して観察できる手段をも提供する。また表示パネル表面を塵埃の付着や汚れを防止することもまた大きな効果の一つである。
【００１５】
本発明に於いて、カメラ函体中央上部にカメラ函体にとって巨大なペンタゴナルダハプリズムを搭載する必要がない本短フランジバック一眼レフレックス機構の中央上部に、画像表示パネルが設けられ、画像表示パネル面を保護する機能と共に、外乱光を遮断するフード機能を有する折り畳み収納可能なパネルカバーが備えられる。
【００１６】
更に、パネルカバーの内側に、パネルカバーを斜めに（大略４５度）起こしたとき、画像表示パネル上の画像からの光を撮影者側に反射させるミラーが設けられる。またパネルカバーを起こしたとき、画像表示パネルを表示状態にし、倒して収納したとき画像表示パネルを非表示状態にする切替えスイッチが設けられる。また更にパネルカバーの内側に折り畳み自在のルーペが備えられる。
【発明の効果】
【００１７】
本発明のカメラ函体の上部は、前述の如く、大きなペンタゴナルダハプリズムがないから、カメラ函体の上部のスペースに画像表示パネルを配置することができる。
【００１８】
カメラ函体上部に設けられた画像表示パネルの上側に、折り畳み式パネルカバーが設けられ、外乱光を遮断するフード機能を有するから、画像表示パネル上の画像をクリアーに観察できる。
【００１９】
パネルカバーの内側には反射鏡が設けられ、パネルカバーを大略４５度起こしたとき画像表示パネルからの光を撮影・観察者側に反射し、撮影・観察者は撮影姿勢のままで、画像表示パネル上の画像を観察できる。
【００２０】
またパネルカバーの内側には画像を拡大して観察できるように、折り畳み収納可能なルーペが設けられ、撮影者は拡大された画像の細部まで確認できる。
【００２１】
更にパネルカバーの起し・折り畳みに連動するスイッチが設けられ、パネルカバーを起したとき、画像表示オン、折り畳んだとき画像表示オフにし、電源の無駄な消耗を防ぐ。また、パネルカバーは、画像表示パネル表面の汚れ防止、防塵機能も併せ持ち常にクリアーな画像が観察できる。
【００２２】
カメラ函体の上側に、画像表示パネルとパネルカバーを設けても、パネルカバーを折り畳んだ状態では、背丈は従来の一眼レフレックスよりも低く押えられるから、携行性が損なわれることはない。
【００２３】
また、何にも増して特筆すべきことは、前記の特許文献１〜４記載の、並びに本発明の一眼レフレックスシステムが、格段に短いフランジバックを有することから、あらゆる種類のレンズが装着可能と云う卓越したレンズ互換性を備えていることであり、さらに本一眼レフレックス光学系の外形形状が観察し易い画像表示パネルの合理的な配置に最適な形状を成すことである。
【発明を実施するための最良の形態】
【００２４】
以下、本発明の実施の形態を図に基づいて説明する。
【実施例１】
【００２５】
図１（ａ）は本発明の一眼レフレックスカメラの、パネルカバー２４が起された観察状態における断面図を示す。本発明の撮影光学系及びファインダー光学系は、基本的には前記特許文献１〜４記載の光学系と変わりないが、ここに概要のみ簡単に述べる。
【００２６】
撮影レンズ取り付け面２に取り付けられた撮影レンズ１から入射した光は、互いに異なる向きに広がるクイックリタンミラー３、３’により反射され、視野レンズ機能をも有するフォーカススクリーン６、６’に被写体像を形成する。撮影時クイックリタンミラー３、３’が夫々点線で示す位置３”に退避し、シャッター４（シャッターが占めるスペースのみ点線で示す）を通過し画像記録手段の画像面５に、被写体像が形成される。撮影が終るとクイックリタンミラー３，３’は元の姿勢に復する。
【００２７】
上下各々のフォーカススクリーン６、６’上に形成された被写体像からの光は、中継ミラー７、７’により反射され、２面が直角に交わるダハミラー８、８’により左右反転反射され、画像記録手段の画像面５の背後に配置された背面ミラー９により統合プリズム１０に向けて反射される。
【００２８】
上下２系統からの光はプリズム１０によって、上下が入れ替ると共に、１系統の光に統合され、接眼レンズ１１に送られ、撮影者は整合された被写体像を観察できる。
【００２９】
中継ミラー７及びダハミラー８の上側に画像表示パネル２１が配置される。図１（ａ）の実施例では、後述するパネルミラー２２の長さを短くするために、画像表示パネル２１は図１（ａ）に示すようにやや前方に傾けて配置されている。
【００３０】
画像表示パネル２１の上側に、軸２３の回りに回動可能なパネルカバー２４が取付けられる。図１（ａ）に示すように、画像を観察する状態では、パネルカバー２４は起きた状態に、図示しない固定手段により、固定されており、パネルカバー２４の内側に取付けられたパネルミラー２２は画像表示パネル２１上の画像（例えば、「ＬＣＤ」）からの光を撮影・観察者の眼２５の方向に反射させる。なお画像表示パネル２１上の画像は撮影・観察者の側から見て左右は反転せず、上下のみ逆転し倒立表示されている。
【００３１】
図１（ａ）に示すように、パネルカバー２４に取付け固定されたスイッチレバー２６が、カメラ函体２０に取付けられた（必ずしも取り付けはカメラ函体２０である必要はなく、カメラの固定系構造体であればよい）スイッチ２７のセンサ２８から離れている。スイッチ２７はセンサ２８がスイッチレバー２６を感知しないとき画像表示パネル２１を表示状態にする。
【００３２】
図１（ｂ）に、パネルカバー２４が起され、画像観察状態にあるカメラの斜視図を示す。撮影・観察者はパネルミラー２２により、画像表示パネル２１上の画像（ＬＣＤ）の鏡像２９を観察できる。図１（ｂ）に示すようにパネルカバー２４は画像表示パネル２１の上方を被い、外乱光の侵入を防ぐから、クリアーな画像が観察できる。
【００３３】
撮影時、撮影者は接眼レンズ１１を覗くことになり、パネルカバー２４が起きた状態にあっても撮影動作の邪魔になることはない。また接眼レンズ１１の左（右）下方向は空きスペースになっており、撮影者が瞳を接眼レンズに近付けたとき、撮影者の鼻の逃げ場所となり顔を正面に向けた自然な姿勢をとることができる。図４に示す如き従来の一眼レフレックスカメラに於いては、撮影者は鼻が邪魔になり、顔を下に向け鼻を下側に逃がし上目遣いで接眼レンズ１１を覗くか、顔をやや横向きにして鼻を横にずらし瞳を正面に向けるやぶ睨み状態で接眼レンズ１１を覗くか、或いは上目遣いとやぶ睨みを取り混ぜた構えで覗くなどの動作を無意識のうちに行っていた。
【００３４】
図２に、画像表示パネル２１に表示される画像（ＬＣＤ）が拡大観察できる状態を示す。パネルカバー２４の内側に収納されているルーペ３０が、軸３１を回動軸として拡大観察状態にセットされている。
【００３５】
図２（ｂ）はカメラ後方からの斜視図であり、画像（ＬＣＤ）がルーペ３０により拡大像３２として観察できる状態を示しており、従来のデジタルカメラの画像表示方法では大変難しかった画像のディテールまで詳しく見られる拡大観察が可能である。
【００３６】
図示しないが、単一のルーペ３０ばかりでなく、複数枚のルーペを内蔵させ、単一でも、複数の組み合せでも観察光路にセット可能にし、種々の倍率を得られるようにして、画面全体を低い倍率で観察したり、局部を大倍率で観察できるようにしてもよい。
【００３７】
図３に、パネルカバー２４が、カメラ函体２０側に収納された状態を示す。図３（ａ）に示すように、パネルカバー２４、パネルミラー２２、ルーペ３０は、本発明の短フランジバック一眼フレックスカメラの光学系が形成する外形形状に旨く適合し、カメラ函体２０にスペース的に効率よく収納される。特にルーペ３０がダハミラー８の背後稜線に沿った姿勢で収納されるから、従来のデジタル一眼レフレックスカメラでは、拡大観察など不可能として片付けられていた手段が簡素、容易に実現できる。
【００３８】
収納状態では、パネルカバー２４に固定されたスイッチレバー２６が、スイッチ２７のスイッチセンサ２８（スイッチレバー２６の頭部裏側に隠れている）を押えて、画像表示パネル２１の画像表示をオフ状態にすることによって電源の無駄な消耗を防ぐ。
【００３９】
図３（ｂ）、（ｃ）にパネルカバー２４収納状態の外観斜視図を示す。パネルカバー２４は図３（ｂ）に示すように前方からみても、図３（ｃ）に示すように後方から見ても、カメラ函体２０にシンプルな形状に収納され、カメラとして機能的な形状を形成する。
【産業上の利用可能性】
【００４０】
前述のように、従来のデジタル一眼レフレックスカメラが持つ多くの欠点を、本発明の短フランジバックデジタル一眼レフレックスカメラが解決できる。従来のデジタル一眼レフレックスカメラでは、撮影結果等の確認用画像表示パネルは、撮影時カメラを顔の直前に構え、ファインダー覗く状態では、撮影者の頬を密着させるカメラ背面に配置されているから、画像表示パネルに外乱光遮断用フードを取り付けることが出来ないし、折り畳み式フードさえも取り付けるスペースはない。従って、特に戸外では、外乱光に邪魔されて撮影結果の確認等は不可能に近い状態である。
【００４１】
さらに、スペースには限りがあり、無闇に大きな画像表示パネルを取り付けるとは出来ないから、如何に高精細な画像表示パネルを採用しようとも、表示画像の細部の確認は不可能であった。ルーペ等の拡大手段手段を付けようにも、前述のフード取り付けが不可能なのと同様の理由により、スペースを確保できない。
【００４２】
本発明の短フランジバック一眼レフレックス光学系の外形形状に適合させた画像表示パネルのカメラ上側への配置、更には画像表示パネルへの外乱光の侵入やパネル表面の汚れ防止機能を持つ折り畳み収納式パネルカバーの配置により、画像表示パネルの可視性が飛躍的に向上すると共に、パネルカバー収納時には、従来のデジタル一眼レフレックスカメラよりも格段にコンパクトで機能的形状を現出する。
【００４３】
更に、本短フランジバック一眼レフレックス光学系の外形形状に旨く折り合いが付く折り畳み式ルーペを備えることにより、及び高精細なパネルを採用することによって、表示画像の高精細なディテールを確認できる。
【００４４】
クイックリタンミラーを撮影光路から退避させ、シャッターを開放状態にセットし、画像表示パネルに撮影しようとする画像を、画像表示パネルに表示させるような場合（コンパクトタイプのデジタルカメラに於いて、画像表示パネルをファインダーとしても選択使用出来る方式）にも、本方式の画像表示パネルの観察手段が、従来一眼レフレックスのファインダー位置にあることから、従来の一眼レフレックスカメラに慣れたユーザーとっても違和感はなかろうと推定される。
【００４５】
以上述べた如く本発明の画像観察手段を備えた短フランジバック一眼レフレックスカメラは多くの特徴を有するが、その中でも特に本発明の基本骨格が格段に短いフランジバックを有することから、フランジバックが短いレンジファインダーカメラ用レンズは勿論、殆どの一眼レフレックスカメラ用レンズを使用でき、レンズの選択幅が無限であることは最大の基本的要件である。
【図面の簡単な説明】
【００４６】
【図１】（ａ）本発明の実施例断面図である。（ｂ）本発明の実施例斜視図である。
【図２】（ａ）本発明の実施例断面図である。        （ｂ）本発明の実施例斜視図である。
【図３】（ａ）本発明の実施例断面図である。        （ｂ）本発明の実施例斜視図である。        （ｃ）本発明の実施例斜視図である。
【図４】従来の実施例斜視図である。
【符号の説明】
【００４７】
１              撮影レンズ
２              撮影レンズ取り付け面（フランジ）
３（３’）        ミラー
５              画像面
６（６’）        フォーカススクリーン      
７（７’）        中継ミラー
８（８’）        ダハミラー
９              背面ミラー
１０            統合プリズム
１１            接眼レンズ
２０            カメラ函体
２１            画像表示パネル
２２            パネルミラー
２３            軸
２４            パネルカバー
２５            観察者（撮影者）の瞳
２６            スイッチレバー
２７            スイッチ
２８            スイッチセンサ
２９            鏡像
３０            ルーペ
３１            軸
３２            拡大像
３３            瘤状凸部
【図１】
2006330415.tif 000003
【図２】
2006330415.tif 000004
【図３】
2006330415.tif 000005
【図４】
2006330415.tif 000006